(57)【特許請求の範囲】
【請求項１】
外装体と、
鉛直方向に延設されると共に、用紙を前記鉛直方向に搬送するためのコンベヤベルトと、
前記鉛直方向に延設されると共に、第１水平方向に移動可能であって、前記コンベヤベルトで搬送される前記用紙を突くためのナイフブレードと、
前記鉛直方向に延設されると共に、前記ナイフブレードで突かれた前記用紙を導入して折り畳むための一対の折ローラと、
前記水平方向に延設されると共に、前記コンベヤベルトで搬送される前記用紙を停止位置で当接及び停止するためのストッパー部と、
前記鉛直方向に延設されると共に、前記用紙を前記停止位置に案内するためのガイド部と、
前記ガイド部を支持すると共に、前記ガイド部を前記第１水平方向に対して直角である第２水平方向に移動して位置を調整するための位置調整機構と、
前記水平方向に前記位置調整機構を前記外装体に対して出し入れするための出し入れ機構と、を備え、
前記出し入れ機構は、
前記用紙が折り畳まれるときに、前記位置調整機構を前記外装体の内側に入れて、
前記ガイド部の位置が調整されるときに、前記位置調整機構を前記外装体の外側に出す
ことを特徴とするナイフ折り装置。
【請求項２】
前記位置調整機構は、
前記水平方向に延設されるスライド軸と、
前記ガイド部を支持すると共に、前記スライド軸にスライド可能に係合されるベース部と、
前記ベース部を前記スライド軸に対して固定及び解除するための固定解除部と、を備える
ことを特徴とする請求項１に記載のナイフ折り装置。
【請求項３】
前記出し入れ機構は、
前記水平方向に延設される回転スライド軸と、
前記回転スライド軸に固定されるアーム部と、
前記外装体に固定される固定フレーム部と、を備え、
前記アーム部は、前記スライド軸に連結し、
前記回転スライド軸は、前記固定フレーム部に対して回転かつスライド可能に係合される
ことを特徴とする請求項２に記載のナイフ折り装置。
【発明の詳細な説明】
【技術分野】
【０００１】
本発明は、用紙を折るためのナイフ折り装置に関する。
【背景技術】
【０００２】
第１のナイフ折り装置は、特許文献１に示す通り、用紙を搬送するコンベヤベルトと、用紙を突くナイフブレードと、ナイフブレードで突かれた用紙を折る一対の折ローラと、を備える。コンベヤベルト及び折ローラは、水平方向に延設される。そのため、用紙は、コンベヤベルトで水平方向に搬送される。ナイフブレードは、水平方向、かつ、用紙の搬送方向に延設される。
【０００３】
コンベヤベルトで搬送される用紙は、ストッパー部に当接することで、停止位置で停止する。用紙は、待機位置に配置されたナイフブレードの下方で停止する。水平方向に延設されたナイフブレードは、鉛直方向に下降して用紙を突く。ナイフブレードで突かれた用紙は、一対の折ローラの間の隙間に導入されることで、折り畳まれて、各折ローラから排出される。その後、ナイフブレードは、上昇して待機位置に戻る。
【０００４】
ここで、コンベヤベルトで搬送される用紙が、横方向（水平方向、かつ、搬送方向に対して直角方向）に長く、かつ、縦方向（水平方向、かつ、搬送方向）に短い場合、折ローラで折り畳まれて排出される用紙は、鉛直方向に長い。そのため、排出される用紙は、鉛直方向に対して不安定で倒れやすいので、整列させることが難しい問題がある。
【０００５】
また、別の第２のナイフ折り装置は、コンベヤベルト及び折ローラが鉛直方向に延設される。そのため、用紙は、コンベヤベルトで鉛直方向に搬送される。ナイフブレードは、鉛直方向、かつ、用紙の搬送方向に延設される。
【０００６】
コンベヤベルトで搬送される用紙は、ストッパー部に当接することで、停止位置で停止する。用紙は、待機位置に配置されたナイフブレードの側方で停止する。鉛直方向に延設されたナイフブレードは、水平方向に前進して用紙を突く。ナイフブレードで突かれた用紙は、一対の折ローラの間の隙間に導入されることで、折り畳まれて、各折ローラから排出される。その後、ナイフブレードは、後退して待機位置に戻る。
【０００７】
ここで、コンベヤベルトで搬送される用紙が、横方向（鉛直方向、かつ、搬送方向に対して直角方向）に長く、かつ、縦方向（鉛直方向、かつ、搬送方向）に短い場合であっても、折ローラで折り畳まれて排出される用紙は、鉛直方向に短く、水平方向に長い。そのため、第２のナイフ折り装置では、排出される用紙は、鉛直方向に対して安定的で倒れにくいので、整列させることが容易である。
【０００８】
ところで、第２のナイフ折り装置は、用紙を停止位置に案内するガイド部を備える。ガイド部は、様々な大きさの用紙を適切に案内できるように、水平方向、かつ、搬送方向に対して直角方向に、移動可能に構成される。また、コンベヤベルトは、ガイド部に近接すると共に、ガイド部を覆うように配置される。そのため、オペレータがガイド部の位置を調整するとき、ガイド部に近接したコンベヤベルトが、オペレータの手のガイド部までの進入を妨げる問題がある。
【先行技術文献】
【特許文献】
【０００９】
【特許文献１】ＷＯ２０１１／０７０６６６号公報
【発明の概要】
【発明が解決しようとする課題】
【００１０】
そこで、本発明が解決しようとする課題は、ナイフブレード、コンベヤベルト及び折ローラが鉛直方向に延設されると共に、用紙を案内するガイド部の位置を容易に調整可能なナイフ折り装置を提供することである。
【課題を解決するための手段】
【００１１】
上記の課題を解決するために、本発明に係るナイフ折り装置は、
外装体と、
鉛直方向に延設されると共に、用紙を鉛直方向に搬送するためのコンベヤベルトと、
鉛直方向に延設されると共に、第１水平方向に移動可能であって、コンベヤベルトで搬送される用紙を突くためのナイフブレードと、
鉛直方向に延設されると共に、ナイフブレードで突かれた用紙を導入して折り畳むための一対の折ローラと、
水平方向に延設されると共に、コンベヤベルトで搬送される用紙を停止位置で当接及び停止するためのストッパー部と、
鉛直方向に延設されると共に、用紙を停止位置に案内するためのガイド部と、
ガイド部を支持すると共に、ガイド部を第１水平方向に対して直角である第２水平方向に移動して位置を調整するための位置調整機構と、
水平方向に位置調整機構を外装体に対して出し入れするための出し入れ機構と、を備え、
出し入れ機構は、
用紙が折り畳まれるときに、位置調整機構を外装体の内側に入れて、
ガイド部の位置が調整されるときに、位置調整機構を外装体の外側に出す。
【００１２】
好ましくは、
位置調整機構は、
水平方向に延設されるスライド軸と、
ガイド部を支持すると共に、スライド軸にスライド可能に係合されるベース部と、
ベース部をスライド軸に対して固定及び解除するための固定解除部と、を備える。
【００１３】
好ましくは、
出し入れ機構は、
水平方向に延設される回転スライド軸と、
回転スライド軸に固定されるアーム部と、
外装体に固定される固定フレーム部と、を備え、
アーム部は、スライド軸に連結し、
回転スライド軸は、固定フレーム部に対して回転かつスライド可能に係合される。
【発明の効果】
【００１４】
本発明に係るナイフ折り装置は、ナイフブレード、コンベヤベルト及び折ローラが鉛直方向に延設されると共に、用紙を案内するガイド部の位置を容易に調整可能である。
【図面の簡単な説明】
【００１５】
【図１】ナイフ折り装置の全体構成を示す斜視図。
【図２】位置調整機構を外装体の内側に入れたときのナイフ折り装置を示す斜視図。
【図３】位置調整機構を外装体の外側に出したときのナイフ折り装置を示す斜視図。
【図４】位置調整機構を示す斜視図。
【発明を実施するための形態】
【００１６】
以下、図面に基づいて、本発明に係るナイフ折り装置の一実施形態を説明する。各図において、第１水平方向Ｘ、第２水平方向Ｙ及び鉛直方向Ｚは、互いに直角である。
【００１７】
図１の通り、ナイフ折り装置は、用紙Ｓを搬送するための複数のコンベヤベルト４２を備える。コンベヤベルト４２は、複数の駆動ローラ４３に架け渡されており、駆動ローラ４３の駆動によって回転して、用紙Ｓを搬送する。断裁機等（不図示）によって所定の大きさに断裁された用紙Ｓは、コンベヤベルト４２に把持されて搬送される。
【００１８】
用紙Ｓは、斜め方向に上方に搬送された後、鉛直方向Ｚに下方に搬送される。そのため、コンベヤベルト４２は、斜め方向に延設される部分と、鉛直方向Ｚに延設される部分と、を有する。そのため、コンベヤベルト４２は、後述する位置調整機構１を覆うように配置される。
【００１９】
図１及び図２の通り、ナイフ折り装置は、鉛直方向Ｚに延設されるナイフブレード４０を備える。ナイフブレード４０は、第１水平方向Ｘに移動可能である。ナイフブレード４０は、用紙Ｓから離れた待機位置で待機している。コンベヤベルト４２で鉛直方向Ｚに用紙Ｓが搬送されると、ナイフブレード４０は、用紙Ｓに向けて第１水平方向Ｘに移動して、その刃先が用紙Ｓを突く。その後、ナイフブレード４０は、用紙Ｓから離れて第１水平方向Ｘに移動して待機位置に戻る。
【００２０】
図２の通り、ナイフ折り装置は、鉛直方向Ｚに延設される一対の折ローラ４１を備える。一対の折ローラ４１は、ナイフブレード４０の刃先が一対の折ローラ４１の間に対向するように配置される。そのため、ナイフブレード４０で突かれた用紙Ｓは、一対の折ローラ４１の間に導入されて折り畳まれる。そして、折り畳まれた用紙Ｓ’が、一対の折ローラ４１から排出されて整列される。
【００２１】
図２の通り、用紙Ｓは、横方向に長く、かつ、縦方向に短い。用紙Ｓが鉛直方向Ｚに搬送されるとき、用紙Ｓの横方向は第２水平方向Ｙであり、用紙Ｓの縦方向は鉛直方向Ｚである。折ローラ４１で折り畳まれて排出される用紙Ｓ’は、鉛直方向Ｚに短く、第１水平方向Ｘに長い。そのため、排出される用紙Ｓ’は、鉛直方向Ｚに対して安定的で倒れにくいので、整列させることが容易である。
【００２２】
ナイフ折り装置は、４つのストッパー部３０を備える。各ストッパー部３０は、第１水平方向Ｘに延設されると共に、第２水平方向Ｙに所定間隔を置いて配置される。そのため、コンベヤベルト４２で搬送される用紙Ｓは、ストッパー部３０に当接して、停止位置で停止する。停止位置で停止される用紙Ｓは、ナイフブレード４０と折ローラ４１との間に配置される。
【００２３】
ナイフ折り装置は、一対のガイド部３１を備える。各ガイド部３１は、両端に配置されたストッパー部３０に固定される。各ガイド部３１は、鉛直方向Ｚに延設されると共に、第２水平方向Ｙに所定間隔を置いて配置される。各ガイド部３１は、搬送される用紙Ｓの両端に接触して停止位置に案内する。そのため、各ガイド部３１は、滑らかに用紙Ｓを案内できるように、用紙Ｓ側に向けて弾性を有する板バネで構成される。
【００２４】
ナイフ折り装置は、各ガイド部３１が様々な大きさの用紙Ｓに適合できるように、各ガイド部３１を第２水平方向Ｙに移動して位置を調整するための位置調整機構１を備える。位置調整機構１は、第１及び第２スライド軸１０，１１を備える。第１及び第２スライド軸１０，１１は、互いに平行に配置されると共に、第２水平方向Ｙに延設される。
【００２５】
位置調整機構１は、４つのベース部１２を備える。各スライド軸１０，１１は、各ベース部１２を貫通する。各ベース部１２は、各ストッパー部３０を固定して支持する。各ベース部１２は、ストッパー部３０を介してガイド部３１を支持すると共に、スライド軸１０，１１にスライド可能に係合される。
【００２６】
位置調整機構１は、４つのツマミネジ部（固定解除部）１３を備える。各ツマミネジ部１３は、各ベース部１２に設けられる。各ツマミネジ部１３は、スライド軸１０に対して固定及び解除可能に構成されており、各ツマミネジ部１３の固定及び解除によって、各ベース部１２がスライド軸１０，１１に対してスライド可能及び不能とする。
【００２７】
位置調整機構１は、微調整ツマミ部１４を備える。また、スライド軸１０は、回転不能に構成されている。さらに、スライド部１０の端部にねじ切り部（不図示）が設けられており、このねじ切り部に微調整ツマミ部１４が螺合する。そのため、微調整ツマミ部１４を回転することで、スライド軸１０が回転することなく軸方向に移動して、スライド軸１０に固定された全てのベース部１２が第２水平方向Ｙに移動する。
【００２８】
オペレータは、ツマミネジ部１３を緩めて、各ベース部１２をスライド軸１０，１１に沿って第２水平方向Ｙに移動した後、ツマミネジ部１３を締めて、各ガイド部３１の位置を調整する。その後、微調整ツマミ部１４を回転して、各ガイド部３１の位置を微調整する。
【００２９】
ところで、図１の通り、複数のコンベヤベルト４２が、位置調整機構１に近接すると共に、位置調整機構１を覆うように配置されるので、オペレータがガイド部３１の位置を調整するとき、ガイド部３１に近接したコンベヤベルト４２が、オペレータの手のガイド部３１までの進入を妨げる。
そのため、図２及び図３の通り、ナイフ折り装置は、第２水平方向Ｙに位置調整機構１を外装体４３に対して出し入れするための出し入れ機構２を備える。
【００３０】
図２及び図３の通り、出し入れ機構２は、各スライド軸１０，１１の両端を固定して支持すると共に、第１水平方向Ｙに延設された一対のアーム部２１を備える。さらに、出し入れ機構２は、第２水平方向Ｙに延設される回転スライド軸２０を備える。各アーム部２１は、回転スライド軸２０の両端に固定される。
【００３１】
出し入れ機構２は、外装体４３に固定される固定フレーム部２２を備える。回転スライド軸２０は、固定フレーム部２２に対して回転可能、かつ、第２水平方向Ｙにスライド可能に係合される。
【００３２】
オペレータは、外装体４３の側面に設けられた開口部４３ａを通じて、回転スライド軸２０を第２水平方向Ｙに引くことで、位置調整機構１を外装体４３の外側に出す（図３）。一方、外装体４３の開口部４３ａを通じて、回転スライド軸２０を第２水平方向Ｙに押すことで、位置調整機構１を外装体４３の内側に入れる（図２）。
【００３３】
図４の通り、位置調整機構１は、回転スライド軸２０を介して、回転可能である。図２の通り、第１水平方向Ｘにおいて、各ストッパー部３０は、ナイフブレード４０と重なって配置される。そのため、各ストッパー部３０とナイフブレード４０とが重なった状態で、位置調整機構１を第２水平方向Ｙに移動すると、ストッパー部３０がナイフブレード４０に衝突する。
【００３４】
そこで、位置調整機構１を外装体４３に対して出し入れするときに、第１水平方向Ｘにおいて、各ストッパー部３０とナイフブレード４０とが重ならないように、オペレータは、回転スライド軸２０を中心に位置調整機構１を回転して、各ストッパー部３０を鉛直方向Ｚに起立する（図４）。
【００３５】
以上、本発明の好ましい実施形態を説明したが、本発明の構成はこれらの実施形態に限定されるものではない。
・上記実施形態では、２つのスライド軸１０，１１が設けられている。これは、１つのスライド軸１０のみだとベース部１２が回転するため、ベース部１２の回転を防止するため、２つのスライド軸１０，１１が配置される。そのため、スライド軸１０が楕円形柱や角柱等の場合、１つのスライド軸のみでもよい。
・上記実施形態では、固定解除部１３は、ツマミネジ部であるが、ベース部１２をスライド軸１０，１１に対して固定及び解除するものであれば、プッシュ式ロック等の公知技術を採用できる。
【符号の説明】
【００３６】
１  位置調整機構
１０，１１  スライド軸
１２  ベース部
１３  ツマミネジ部（固定解除部）
２  出し入れ機構
２０  回転スライド軸
２１  アーム部
２２  固定フレーム部
３０  ストッパー部
３１  ガイド部
４０  ナイフブレード
４１  折ローラ
４２  コンベヤベルト
４３  外装体
Ｓ  用紙
Ｘ  第１水平方向
Ｙ  第２水平方向
Ｚ  鉛直方向
【図１】
0006717497.tif 000002
【図２】
0006717497.tif 000003
【図３】
0006717497.tif 000004
【図４】
0006717497.tif 000005